【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
順方向および逆方向リンクを介して通信する基地局とフィールド・ユニットを有し、前記順方向リンクにおいて少なくとも第１および第２チャネルを有し、前記逆方向リンクにおいてチャネルを有する、時分割多重（ＴＤＭ）通信システムにおけるチャネル割当オーバーヘッドを低減する方法であって、
前記順方向リンクの前記第１チャネル上でＴＤＭスロット割当制御データを受信し、
前記ＴＤＭスロット割当制御データがこのフィールド・ユニットに指定されているか否かを判断し、
前記ＴＤＭスロット割当制御データがこのフィールド・ユニットに指定されている場合、前記順方向リンクの前記第２チャネルまたは前記逆方向リンクの前記チャネルにおいて基地局とトラフィック・データを通信するように、ＴＤＭスロット割当制御データに従って、少なくとも１つのトラフィック・チャネルの少なくとも１つのトラフィックＴＤＭスロットを割当てる、チャネル割当オーバーヘッド低減方法。
【請求項２】
請求項１において、前記第１チャネルがトラフィック・データではないデータを運ぶ、チャネル割当オーバーヘッド低減方法。
【請求項３】
請求項２において、前記第１チャネルがページング・チャネルである、チャネル割当オーバーヘッド低減方法。
【請求項４】
請求項１において、さらに、前記フィールド・ユニットにおいて、前記第１チャネルからのＴＤＭスロット割当制御データの復調を、前記第２チャネルからのトラフィック・データの復調と同時に実行する、チャネル割当オーバーヘッド低減方法。
【請求項５】
請求項１において、スロット割当制御データの受信がすべてのＴＤＭタイム・スロットごとに発生する、チャネル割当オーバーヘッド低減方法。
【請求項６】
請求項１において、前記ＴＤＭスロット割当制御データが、ＣＤＭＡコード・チャネル、ＴＤＭスロット開始状況、ＴＤＭスロット数の状況、ＦＥＣコード・レート、または電力制御の内の少なくとも１つを含む、チャネル・パラメータを定義する、チャネル割当オーバーヘッド低減方法。
【請求項７】
請求項１において、前記ＴＤＭスロット割当制御データの受信が、チャネル性能パラメータに基づくＴＤＭスロット割当解除制御データの受信工程を有し、前記チャネル性能パラメータが、フェーディング、パケット損失率、搬送波対干渉（Ｃ／Ｉ）比、信号対雑音（Ｓ／Ｎ）比、または電力レベルの内の少なくとも１つを含む、チャネル割当オーバーヘッド低減方法。
【請求項８】
順方向および逆方向リンクを介して通信する基地局とフィールド・ユニットを有し、前記順方向リンクにおいて少なくとも第１および第２チャネルを有し、前記逆方向リンクにおいてチャネルを有する、時分割多重（ＴＤＭ）通信システムにおけるチャネル割当オーバーヘッドを低減する装置であって、
前記順方向リンクの前記第１チャネル上で受信される第１変調信号を復調する第１復調器であって、この復調された信号がＴＤＭスロット割当制御データを含む、第１復調器と、
前記第１復調器に連結され、前記ＴＤＭスロット割当制御データがこのフィールド・ユニットに指定されているか否かを判断する論理ユニットであって、前記ＴＤＭスロット割当制御データがこのフィールド・ユニットに指定されている場合、順方向リンクの前記第２チャネルまたは逆方向リンクの前記チャネルにおいて前記基地局からのトラフィック・データを通信するように、この論理ユニットは、前記ＴＤＭスロット割当制御データに従って、少なくとも１つのトラフィック・チャネルの少なくとも１つのトラフィックＴＤＭスロットを割当てる論理ユニットとを備えた、チャネル割当オーバーヘッド低減装置。
【請求項９】
請求項８において、前記第１チャネルがページング・チャネルである、チャネル割当オーバーヘッド低減装置。
【請求項１０】
請求項８において、さらに、前記第１復調器と並列に、順方向リンクの前記第２チャネル上で受信される第２変調信号を復調する第２復調器を備え、この第２復調器は、前記第１復調器からのＴＤＭスロット割当制御データに基づいて前記第２チャネルを受信するように設定されている、チャネル割当オーバーヘッド低減装置。
【請求項１１】
請求項８において、前記第１復調器がすべてのエポックごとにＴＤＭスロット割当制御データを受信する、チャネル割当オーバーヘッド低減装置。
【請求項１２】
請求項８において、前記ＴＤＭスロット割当制御データが、ＣＤＭＡコード・チャネル、ＴＤＭスロット開始状況、ＴＤＭスロット数の状況、ＦＥＣコード・レート、または電力制御の内の少なくとも１つを含む、チャネル・パラメータを定義する、チャネル割当オーバーヘッド低減装置。
【請求項１３】
請求項８において、前記復調信号がチャネル性能パラメータに基づくＴＤＭスロット割当解除制御データを含み、前記チャネル性能パラメータが、フェーディング、パケット損失率、搬送波対干渉（Ｃ／Ｉ）比、信号対雑音（Ｓ／Ｎ）比、または電力レベルの内の少なくとも１つを含む、チャネル割当オーバーヘッド低減装置。
【請求項１４】
順方向および逆方向リンクを介して通信する基地局とフィールド・ユニットを有し、前記順方向リンクにおいて少なくとも第１および第２チャネルを有し、前記逆方向リンクにおいてチャネルを有する、時分割多重（ＴＤＭ）通信システムにおけるチャネル割当オーバーヘッドを低減する装置であって、
前記順方向リンクの前記第１チャネル上でＴＤＭスロット割当制御データを受信する受信手段と、
前記ＴＤＭスロット割当制御データがフィールド・ユニットに指定されているか否かを判断する判断手段と、
前記ＴＤＭスロット割当制御データがフィールド・ユニットに指定されている場合、前記順方向リンクの前記第２チャネルまたは前記逆方向リンクの前記チャネルにおいて基地局とトラフィック・データを通信するように、ＴＤＭスロット割当制御データに従って、少なくとも１つのトラフィック・チャネルの少なくとも１つのトラフィックＴＤＭスロットを割当てる割当手段とを備えた、チャネル割当オーバーヘッド低減装置。
【請求項１５】
時分割多重（ＴＤＭ）通信システムにおけるチャネル割当オーバーヘッドを低減する方法であって、
順方向リンクの第１チャネル上で受信される第１変調信号を復調する工程であって、この復調された信号がＴＤＭスロット割当制御データを含む、第１変調信号復調工程と、
前記ＴＤＭスロット割当制御データを用いる使用工程であって、前記順方向リンクの第２チャネル上で受信される第２変調信号を復調する使用工程とを備えた、チャネル割当オーバーヘッド低減方法。
【請求項１６】
請求項１５において、前記第１チャネルがトラフィック・データではないデータを運ぶ、チャネル割当オーバーヘッド低減方法。
【請求項１７】
請求項１６において、前記第１チャネルがページング・チャネルである、チャネル割当オーバーヘッド低減方法。
【請求項１８】
請求項１５において、さらに、前記フィールド・ユニットにおいて、ＴＤＭスロット割当制御データの復調を、前記トラフィック・データの復調と同時に実行する、復調工程を備えた、チャネル割当オーバーヘッド低減方法。
【請求項１９】
請求項１５において、スロット割当制御データの受信がすべてのＴＤＭタイム・スロットごとに発生する、チャネル割当オーバーヘッド低減方法。
【請求項２０】
時分割多重（ＴＤＭ）通信システムにおけるチャネル割当オーバーヘッドを低減する装置であって、
順方向リンクの第１チャネル上で受信される第１変調信号を復調する第１復調器であって、この復調された信号がＴＤＭスロット割当制御データを含む、第１復調器と、
順方向リンクの第２チャネル上で受信される第２変調信号を復調する第２復調器であって、この第２復調器は、前記第１復調器からのＴＤＭスロット割当制御データに基づいて前記第２変調信号を受信するように設定されている、チャネル割当オーバーヘッド低減装置。
【請求項２１】
請求項２０おいて、前記第１チャネルがページング・チャネルである、チャネル割当オーバーヘッド低減装置。
【請求項２２】
請求項２０おいて、前記第２復調器が、前記第１変調信号を前記第１復調器が復調するのと同時に前記第２変調信号を復調する、チャネル割当オーバーヘッド低減装置。
【請求項２３】
請求項２０において、前記第１復調器がすべてのＴＤＭタイム・スロットごとにＴＤＭスロット割当制御データを受信する、チャネル割当オーバーヘッド低減装置。
【請求項２４】
時分割多重（ＴＤＭ）通信システムにおけるチャネル割当オーバーヘッドを低減する装置であって、
順方向リンクの第１チャネル上で受信される第１変調信号を復調する手段であって、この復調された信号がＴＤＭスロット割当制御データを含む、第１変調信号復調手段と、
前記ＴＤＭスロット割当制御データに従って、順方向リンクの第２チャネル上で受信される第２変調信号を復調する第２変調信号復調手段とを備えたチャネル割当オーバーヘッド低減装置。
【請求項２５】
基地局と複数のフィールド・ユニットを有する時分割多重（ＴＤＭ）通信システムにおいて、順方向および逆方向リンク上で通信する方法であって、
前記基地局から所定のフィールド・ユニットに、第１ＴＤＭスロットにおいて、前記順方向リンクの第１チャネル上で、ＴＤＭスロット割当制御データを伝送し、
前記ＴＤＭスロット割当制御データによって指定された通りに、第２ＴＤＭスロットにおいて、前記順方向リンクの第２チャネル上で、トラフィック・データを前記所定のフィールド・ユニットに伝送する、通信方法。
【請求項２６】
請求項２５において、前記第１チャネルがページング・チャネルである、通信方法。
【請求項２７】
請求項２５において、さらに、前記それぞれのトラフィック伝送の前に、前記フィールド・ユニットにおいて同時に復調するように、前記割当制御データおよびトラフィック・データを変調する、通信方法。
【請求項２８】
請求項２５において、前記ＴＤＭスロット割当制御データの伝送が、すべてのＴＤＭタイム・スロットごとに発生する、通信方法。
【請求項２９】
請求項２５において、さらに、前記ＴＤＭスロット割当制御データによって指定された方法で、逆方向リンク上でトラフィック・データを受信する、通信方法。
【請求項３０】
基地局と複数のフィールド・ユニットを有する時分割多重（ＴＤＭ）通信システムにおいて、順方向および逆方向リンク上で通信する装置であって、
（i）前記基地局から所定のフィールド・ユニットに、第１ＴＤＭスロットにおいて、
前記順方向リンクの第１チャネル上で、ＴＤＭスロット割当制御データを伝送し、（ii）前記ＴＤＭスロット割当制御データによって指定された通りに、第２ＴＤＭスロットにおいて、前記順方向リンクの第２チャネル上で、トラフィック・データを前記所定のフィールド・ユニットに伝送する、送信機を備えた、通信装置。
【請求項３１】
請求項３０において、前記第１チャネルがページング・チャネルである、通信装置。
【請求項３２】
請求項３０において、さらに、前記送信機がトラフィック・データを伝送する前に、前記所定のフィールド・ユニットにおいて並列に復調するように、前記割当制御データおよびトラフィック・データを変調する少なくとも１つの変調器を備えた、通信装置。
【請求項３３】
請求項３０において、前記送信機がすべてのＴＤＭタイム・スロットごとに前記割当制御データを伝送する、通信装置。
【請求項３４】
請求項３０において、さらに、前記ＴＤＭスロット割当制御データによって指定された方法で、逆方向リンク上でトラフィック・データを受信する受信機を備えた、通信装置。
【請求項３５】
基地局と複数のフィールド・ユニットを有する時分割多重（ＴＤＭ）通信システムにおいて、順方向および逆方向リンク上で通信する装置であって、
前記基地局から所定のフィールド・ユニットに、第１ＴＤＭスロットにおいて、前記順方向リンクの第１チャネル上で、ＴＤＭスロット割当制御データを伝送するＴＤＭスロット割当制御データ伝送手段と、
前記ＴＤＭスロット割当制御データによって指定された通りに、第２ＴＤＭスロットにおいて、順方向リンクの第２チャネルを上で、トラフィック・データを前記所定のフィールド・ユニットに伝送するトラフィック・データ伝送手段とを備えた通信装置。